(57)【特許請求の範囲】
【請求項１】
電話回線による着信機能、発信機能、および通話機能を含む機能を持ち、スイッチによって個別認識番号（ＩＤ）が設定される複数の端末装置と、
前記電話回線に接続され、交換機能を有し、前記端末装置の前記機能の少なくとも一部を動作または禁止にするための機能設定データを、前記端末装置の前記個別認識番号（ＩＤ）と共に記憶している接続装置と、
前記接続装置と各前記端末装置とを接続すると共に前記電話回線による各前記端末装置の通話を可能にする内線を形成し、前記機能設定データおよび前記個別認識番号（ＩＤ）を含むデータを伝送する少なくとも１つのデータバスとを備え、
前記端末装置は、前記接続装置の電源投入または前記接続装置に対するスイッチ操作によって、前記個別認識番号（ＩＤ）を前記データバスに送り、前記接続装置は、この端末装置からこの個別認識番号（ＩＤ）を受信すると、あらかじめ記憶している前記個別認識番号（ＩＤ）と受信したこの個別認識番号（ＩＤ）との一致により、この端末装置との接続を完了し、この後、この端末装置から機能要求データを受信すると、この個別認識番号（ＩＤ）に対応する前記機能設定データを前記データバスに送信し、この機能設定データを受信したこの端末装置は、この機能設定データに基づいて、前記機能の少なくとも一部を動作または禁止にすることを特徴とする通信システム。
【請求項２】
前記接続装置は、各前記端末装置の個別認識番号（ＩＤ）データと前記機能設定データを記憶する設定データ記憶手段を備えたことを特徴とする請求項１記載の通信システム。
【請求項３】
前記端末装置は、個別認識番号（ＩＤ）データと前記機能要求データを記憶する要求データ記憶手段と、前記接続装置から提供される前記機能設定データに基づいて各前記端末装置の個別の機能を確定する機能確定手段と、を備えたことを特徴とする請求項１記載の通信システム。
【発明の詳細な説明】
【０００１】
【発明の属する技術分野】
この発明は、電話回線に接続される構内交換機（ＰＢＸ）やボタン電話装置の主装置等の接続装置と、この接続装置に内線を介して接続される複数の端末装置から構成される通信システムに係り、特に内線をデータバスで構築し、接続装置と複数の端末装置との接続、および各端末装置の機能設定を接続装置からのデータで自動的に設定する通信システムに関する。
【０００２】
【従来の技術】
従来の通信システムは、構内交換機（ＰＢＸ）やボタン電話装置の主装置等の接続装置と、複数の端末装置とのそれぞれがスター配線された内線を介して１対１に接続されている。
【０００３】
また、従来の通信システムは、複数の端末装置の機能を設定する場合には、それぞれの端末装置毎に個別の機能を設定し、この設定した機能に対応して接続装置の条件を決定するよう構成されている。
【０００４】
【発明が解決しようとする課題】
従来の通信システムは、接続装置と、複数の端末装置とのそれぞれがスター配線された内線を介して物理的に１対１に接続されているため、導入時に複数の端末装置を内線に接続する際、または複数の端末装置を内線に接続変更する際には、接続が正しく行われているか否かの確認に多くの時間を要するとともに、設置作業が煩雑になり、専門の工事担任者でも煩わしい課題がある。
特に、通信システムの規模が大きくなるにつれて、工事担任者の作業時間ならびに煩雑さは、限りなく増加する傾向にある。
【０００５】
また、従来の通信システムは、各端末装置毎に個別機能を設定し、この設定した機能に対応して接続装置の条件を決定するため、多機能端末装置の機能設定や接続装置の条件決定に多大の時間を要したり、機能設定や条件決定を誤る虞がある。
【０００６】
この発明はこのような課題を解決するためなされたもので、その目的はデータバスで構築した内線を介して接続装置と複数の端末装置との間でデータの相互通信を行うことにより、接続装置と複数の端末装置の接続ならびに複数の端末装置の機能設定を自動的に実行する通信システムを提供することにある。
【０００７】
【課題を解決するための手段】
前記課題を解決するためこの発明に係る通信システムは、電話回線による着信機能、発信機能、および通話機能を含む機能を持ち、スイッチによって個別認識番号（ＩＤ）が設定される複数の端末装置と、前記電話回線に接続され、交換機能を有し、前記端末装置の前記機能の少なくとも一部を動作または禁止にするための機能設定データを、前記端末装置の前記個別認識番号（ＩＤ）と共に記憶している接続装置と、前記接続装置と各前記端末装置とを接続すると共に前記電話回線による各前記端末装置の通話を可能にする内線を形成し、前記機能設定データおよび前記個別認識番号（ＩＤ）を含むデータを伝送する少なくとも１つのデータバスとを備え、前記端末装置は、前記接続装置の電源投入または前記接続装置に対するスイッチ操作によって、前記個別認識番号（ＩＤ）を前記データバスに送り、前記接続装置は、この端末装置からこの個別認識番号（ＩＤ）を受信すると、あらかじめ記憶している前記個別認識番号（ＩＤ）と受信したこの個別認識番号（ＩＤ）との一致により、この端末装置との接続を完了し、この後、この端末装置から機能要求データを受信すると、この個別認識番号（ＩＤ）に対応する前記機能設定データを前記データバスに送信し、この機能設定データを受信したこの端末装置は、この機能設定データに基づいて、前記機能の少なくとも一部を動作または禁止にすることを特徴とする。
【０００８】
この発明に係る通信システムは、内線をデータバスで構成し、接続装置と各端末装置との間で個別認識番号（ＩＤ）データの相互通信を実行するので、個別認識番号（ＩＤ）データの一致で、各端末装置を接続装置に自動的に接続することができる。
また、データバスを介して各端末装置の端末制御手段から供給される機能要求データに対応し、接続装置の主制御装置から機能設定データを各端末装置の端末制御手段に供給して機能設定を実行するので、各端末装置の個別の機能設定を自動的に行うことができる。
【０００９】
また、この発明に係る接続装置の主制御手段は、各端末装置の個別認識番号（ＩＤ）データと機能設定データを記憶する設定データ記憶手段を備えたことを特徴とする。
【００１０】
この発明に係る接続装置の主制御手段は、個別認識番号（ＩＤ）データと機能設定データを記憶する設定データ記憶手段を備えたので、各端末装置の個別の個別認識番号（ＩＤ）データと機能要求データに基づいて接続装置と各端末装置の接続ならびに各端末装置の個別の機能設定を実行することができる。
【００１１】
さらに、この発明に係る各端末装置の端末制御手段は、個別認識番号（ＩＤ）データと機能要求データを記憶する要求データ記憶手段と、主制御手段から提供される機能設定データに基づいて各端末装置の個別の機能を確定する機能確定手段とを備えたことを特徴とする。
【００１２】
この発明に係る各端末装置の端末制御手段は、要求データ記憶手段および機能確定手段を備えたので、個別認識番号（ＩＤ）データに基づいて各端末装置と接続装置をデータバスを介して接続することができるとともに、機能要求データに基づいて主制御手段から提供される機能設定データにより、各端末装置の個別の機能を確定することができる。
【００１３】
【発明の実施の形態】
以下、この発明の実施の形態を添付図面に基づいて説明する。
なお、本発明は、電話回線に接続される構内交換機（ＰＢＸ）やボタン電話装置の主装置等の接続装置と、この接続装置に内線を介して接続される複数の端末装置とから構成される通信システムであり、内線をデータバスで構築し、このデータバスを介して各端末装置の個別認識番号（ＩＤ）データと機能要求データを接続装置に供給することにより、接続装置と各端末装置の接続を自動的に形成するとともに、各端末装置の個別機能を自動的に設定し、各端末装置の設置、配置換えおよび機能設定を容易に、かつ効率的に行うものである。
【００１４】
図１はこの発明に係る通信システムの実施の形態全体ブロック構成図である。
図１において、通信システム１は、構内交換機（ＰＢＸ）やボタン電話装置の主装置等を構成する接続装置３、接続装置３に接続する電話機、データ装置、アダプタ等の複数の端末装置５、接続装置３と端末装置５を接続する内線を形成するデータバス４を備える。
なお、接続装置３は、アナログ回線、ＩＳＮ回線を含むディジタル回線の電話回線２に接続する。
【００１５】
接続装置３は、交換機能、データ処理機能、制御機能等を備え、外線（電話回線２）からの着信に応じてデータバス４に対応したデータに変換し、着信に応じて端末装置５に接続する。
また、接続装置３は、端末装置５の端末装置Ｅ１〜Ｅｎ、端末装置Ｕ１〜Ｕｋからの呼（呼出信号）に応じて該当する端末装置５（例えば、端末装置Ｅ１）と電話回線２を接続して通話や各種データの双方向通信を制御したり、端末装置Ｅ１〜Ｅｎ、端末装置Ｕ１〜Ｕｋ相互間の内線通話や各種データの双方向通信を制御する。さらに、接続装置３は、主制御手段を備え、データバス４を介して端末装置Ｅ１〜Ｅｎ、端末装置Ｕ１〜Ｕｋから供給される個別認識番号（ＩＤ）データと機能要求データに基づいて接続装置３と端末装置Ｅ１〜Ｅｎ、端末装置Ｕ１〜Ｕｋの接続、および端末装置Ｅ１〜Ｅｎ、端末装置Ｕ１〜Ｕｋの機能設定を行うことができる。
【００１６】
データバス４は、内線を形成する、例えば２系統のデータバスＸおよびデータバスＹを備える。
データバスＸは、１本（または、１ペア）のデータ線で構成し、接続装置３と端末装置Ｅ１〜Ｅｎをそれぞれデータレベルで１対１に接続する。
一方、データバスＹは、１本（または、１ペア）のデータ線で構成し、接続装置３と端末装置Ｕ１〜Ｕｋをそれぞれデータレベルで１対１に接続する。
なお、データレベルの接続とは、接続装置３に設定した個別認識番号（ＩＤ）と端末装置Ｅ１〜Ｅｎ、Ｕ１〜Ｕｋのそれぞれに設定した個別認識番号（ＩＤ）の一致で行う。
また、データバス４を伝送されるデータは、多重化（例えば、時分割方式）されている。
【００１７】
このように、データバスＸおよびデータバスＹは、それぞれ１本（または、１ペア）のデータ線に複数の端末装置Ｅ１〜Ｅｎ、端末装置Ｕ１〜Ｕｋが接続できるので、端末装置Ｅ１〜Ｅｎおよび端末装置Ｕ１〜Ｕｋの接続装置３への配置または配置換えを容易に行うことができる。
【００１８】
端末装置Ｅ１〜Ｅｎは、各種キーテレホン、データ装置、アダプタ等で構成し、データバスＸを介して接続装置３に接続し、この接続装置３を経由して電話回線２との間で通話またはデータの双方向通信を行ったり、自己以外の端末装置Ｅ
１〜Ｅｎ、端末装置Ｕ１〜Ｕｋとの間で通話またはデータの双方向通信を行う。
一方、端末装置Ｕ１〜Ｕｋも各種キーテレホン、データ装置、アダプタ等で構成し、端末装置Ｅ１〜Ｅｎと同様にデータバスＹを介して接続装置３に接続し、接続装置３を経由して電話回線２との間で通話またはデータの双方向通信を行ったり、自己以外の端末装置Ｅ１〜Ｅｎ、端末装置Ｕ１〜Ｕｋとの間で通話またはデータの双方向通信を行う。
【００１９】
また、端末装置Ｅ１〜Ｅｎおよび端末装置Ｕ１〜Ｕｋは、それぞれ端末制御手段を備え、個別認識番号（ＩＤ）データおよび機能要求データを接続装置３に供給することにより、接続装置３と端末装置Ｅ１〜Ｅｎ、端末装置Ｕ１〜Ｕｋの接続、および端末装置Ｅ１〜Ｅｎ、端末装置Ｕ１〜Ｕｋの機能設定を行うことができる。
【００２０】
このように、この発明に係る通信システム１は、内線をデータバス（Ｘ、Ｙ）で構成し、接続装置３と端末装置Ｅ１〜Ｅｎ、端末装置Ｕ１〜Ｕｋとの間で個別認識番号（ＩＤ）データの相互通信を実行するので、個別認識番号（ＩＤ）データの一致で、端末装置Ｅ１〜Ｅｎ、端末装置Ｕ１〜Ｕｋを接続装置３に自動的に接続することができる。
また、データバス（Ｘ、Ｙ）を介して端末装置Ｅ１〜Ｅｎ、端末装置Ｕ１〜Ｕｋの端末制御手段から供給される機能要求データに対応し、接続装置３の主制御装置から機能設定データを端末装置Ｅ１〜Ｅｎ、端末装置Ｕ１〜Ｕｋの端末制御手段に供給して機能設定を実行するので、端末装置Ｅ１〜Ｅｎ、端末装置Ｕ１〜Ｕｋの個別の機能設定を自動的に行うことができる。
【００２１】
図２はこの発明に係る接続装置の主制御手段の実施の形態要部ブロック構成図である。
図２において、主制御手段１０は、マイクロプロセッサを基本に各種処理機能、演算機能、メモリで構成し、ＩＤ（個別認識番号）データ記憶手段１２と、機能データ記憶手段１３とからなる設定データ記憶手段１１を備える。
ＩＤ（個別認識番号）データ記憶手段１２は、ＲＯＭまたは書換え可能なＲＯＭ（ＥＥＰＲＯＭ）のメモリで構成し、データバスＸおよびデータバスＹを介して接続される端末装置Ｅ１〜Ｅｎ、端末装置Ｕ１〜ＵｋのＩＤ（個別認識番号）データに対応したＩＤ（個別認識番号）データを設定する。
なお、ＩＤ（個別認識番号）は、端末装置Ｅ１〜Ｅｎおよび端末装置Ｕ１〜Ｕｋの最大数（接続装置３の最大許容容量）をそれぞれ異なるデータ（例えば、ビットデータ）で設定する。
【００２２】
機能データ記憶手段１３は、書換え可能なＥＥＰＲＯＭやＲＡＭ等のメモリで構成し、機能設定データＤ1 〜Ｄｎを記憶する。
機能設定データＤ1 〜Ｄｎは、各種キーテレホン、データ装置、アダプタ等の端末装置Ｅ１〜Ｅｎおよび端末装置Ｕ１〜Ｕｋの個別の機能を動作させるための設定データまたはプログラムデータで構成する。
【００２３】
なお、設定データ記憶手段１１は、メモリカードやディスク等の記憶媒体で構成し、接続装置３への着脱を自由にし、端末装置Ｅ１〜Ｅｎ、端末装置Ｕ１〜Ｕｋの接続数の変更や機能変更に対応できるようにしてもよい。
【００２４】
このように、主制御手段１０は、個別認識番号（ＩＤ）データと機能設定データを記憶する設定データ記憶手段１１を備えたので、端末装置Ｅ１〜Ｅｎおよび端末装置Ｕ１〜Ｕｋの個別の個別認識番号（ＩＤ）データと機能要求データに基づいて接続装置３と端末装置Ｅ１〜Ｅｎおよび端末装置Ｕ１〜Ｕｋの接続ならびに端末装置Ｅ１〜Ｅｎおよび端末装置Ｕ１〜Ｕｋの個別の機能設定を実行することができる。
【００２５】
図３はこの発明に係る端末装置の端末制御手段の実施の形態要部ブロック構成図である。
図３において、端末制御手段１５は、マイクロプロセッサを基本に各種処理機能、演算機能、メモリで構成し、要求データ記憶手段１６、機能確定手段１９を備え、端末装置Ｅ１〜Ｅｎおよび端末装置Ｕ１〜Ｕｋのそれぞれに搭載する。
要求データ記憶手段１６は、ＩＤデータ記憶手段１７、機能要求データ記憶手段１８を備える。
【００２６】
ＩＤデータ記憶手段１７は、書換え可能なＲＡＭ等のメモリで構成し、予め接続装置３（図２に示すＩＤデータ記憶手段１２参照）に設定されたＩＤ（個別認識番号）データをＩＤ設定手段２０から供給されるＩＤ情報Ｊに基づいて記憶する。
【００２７】
ＩＤ設定手段２０は、例えばロータリスイッチ、デップスイッチ等で構成し、端末装置Ｅ１〜Ｅｎおよび端末装置Ｕ１〜Ｕｋのそれぞれ個別認識番号（ＩＤ）を設定するＩＤ情報ＪをＩＤデータ記憶手段１７に提供する。
【００２８】
機能要求データ記憶手段１８は、書換え可能なＲＡＭ等のメモリで構成し、端末装置Ｅ１〜Ｅｎおよび端末装置Ｕ１〜Ｕｋのそれぞれの機能設定を要求する機能要求データを記憶する。
機能要求データは、予め接続装置３（図２に示す機能データ記憶手段１３参照）に設定している各種キーテレホン、データ装置、アダプタ等の端末装置Ｅ１〜Ｅｎおよび端末装置Ｕ１〜Ｕｋの個別の機能を動作させるための機能設定データまたはプログラムデータを要求するデータである。
なお、機能要求データは、端末装置Ｅ１〜Ｅｎおよび端末装置Ｕ１〜Ｕｋの機種データとしてもよい。
【００２９】
機能確定手段１９は、機能要求データ記憶手段１８から供給される機能要求データに基づいて接続装置３（図２に示す機能データ記憶手段１３参照）から提供される機能設定データＤ1 〜Ｄｎを記憶することにより、端末装置Ｅ１〜Ｅｎおよび端末装置Ｕ１〜Ｕｋの個別の機能を確定する。
【００３０】
このように、端末装置Ｅ１〜Ｅｎおよび端末装置Ｕ１〜Ｕｋの端末制御手段１５は、要求データ記憶手段１６および機能確定手段１９を備えたので、個別認識番号（ＩＤ）データに基づいて端末装置Ｅ１〜Ｅｎおよび端末装置Ｕ１〜Ｕｋと接続装置３をデータバス（Ｘ、Ｙ）を介して接続することができるとともに、機能要求データに基づいて主制御手段１０から提供される機能設定データにより、端末装置Ｅ１〜Ｅｎおよび端末装置Ｕ１〜Ｕｋの個別の機能を確定することができる。
【００３１】
ここで、接続装置３の機能設定データＤ1 〜Ｄｎと端末装置Ｅ１〜Ｅｎおよび端末装置Ｕ１〜Ｕｋの機能要求データの関係について説明する。
例えば、端末装置Ｅ１〜Ｅｎをキーテレホンとした場合、キーテレホンの機能としては、例えば着信（鳴音）機能、発信（ダイヤル）機能、通話（送受話）機能の基本機能の他に、スピーカ受話機能、ハンズフリー機能、表示機能、転送機能、停電機能等の数多くの機能を有する。
また、端末装置Ｅ１〜Ｅｎ（キーテレホン）は、機種によっても機能が異なる。
【００３２】
例えば、同一機種の端末装置Ｅ１〜Ｅｎ（キーテレホン）を職場内に設置する場合、端末装置Ｅ１〜Ｅｎ（キーテレホン）の全ての機能を動作可能にすると不都合を生じる場合がある。
一例として、外線（電話回線２）からの着信を端末装置Ｅ１〜Ｅｎ（キーテレホン）の全てで鳴音するようにすると、騒々しくなるので、必要に応じて端末装置Ｅ１〜Ｅｎ（キーテレホン）の内の数台の鳴音を禁止する必要がある。
また、外線（電話回線２）への発信（ダイヤル）を端末装置Ｅ１〜Ｅｎ（キーテレホン）の数台に規制したい場合もある。
さらに、停電時に外線との着信（鳴音）機能、発信（ダイヤル）機能、通話（送受話）機能を確保するキーテレホンも必要となる。
【００３３】
このように、端末装置Ｅ１〜Ｅｎ（キーテレホン）のフル機能の一部を動作（または禁止）するために、端末装置Ｅ１〜Ｅｎ（キーテレホン）から接続装置３に機能要求データを供給し、この機能要求データに対応して接続装置３から機能設定データＤ1 〜Ｄｎを端末装置Ｅ１〜Ｅｎ（キーテレホン）に提供して端末装置Ｅ１〜Ｅｎ（キーテレホン）の機能を確定することができる。
また、キーテレホン以外の端末装置Ｅ１〜Ｅｎ、端末装置Ｕ１〜Ｕｋについても同様にして機能を確定することができる。
【００３４】
以上の説明では、端末装置Ｅ１〜Ｅｎ、端末装置Ｕ１〜Ｕｋがフル機能を備え、機能要求データはフル機能の１部を動作（または、禁止）させるためのデータを設定し、機能設定データＤ1 〜Ｄｎはフル機能の１部を動作（または、禁止）を確定させるためのデータとしたが、機能設定データＤ1 〜Ｄｎをフル機能の１部を動作（または、禁止）を確定させるための動作プログラムデータとし、機能要求データに対応して動作プログラムデータを端末装置Ｅ１〜Ｅｎ、端末装置Ｕ１〜Ｕｋにローディングして機能を確定するように構成してもよい。
【００３５】
次に、この発明に係る通信システムの動作について説明する。
図４は図１に示す通信システムの接続ならびに機能設定の一実施の形態概要動作フロー図である。
なお、動作フローは、データバスＸを介して接続装置３に端末装置Ｅ１〜Ｅｎを接続し、端末装置Ｅ１〜Ｅｎの機能を設定する場合について説明する。
また、動作フローの前提条件として接続装置３には個別認識番号（ＩＤ）および機能設定データが設定され、端末装置Ｅ１〜Ｅｎには個別認識番号（ＩＤ）および機能要求データが設定されているものとする。
【００３６】
図４において、初めにステップＳ１では、端末装置Ｅ１（ｉ＝１）から接続装置３に個別認識番号（ＩＤ）データを送信する。
ステップＳ２では、接続装置３に設定されている個別認識番号（ＩＤ）データと端末装置Ｅ１（ｉ＝１）の個別認識番号（ＩＤ）データを照合し、データが一致（Ｙ）する場合にはステップＳ３に移行する。
一方、データが不一致（Ｎ）の場合にはステップＳ１に移行し、端末装置Ｅ２（ｉ＝２）から個別認識番号（ＩＤ）データを送信する。
【００３７】
ステップＳ３では、端末装置Ｅ１（ｉ＝１）の個別認識番号（ＩＤ）と接続装置３の個別認識番号（ＩＤ）の一致により、例えば接続装置３から端末装置Ｅ１（ｉ＝１）に接続完了データを送信して接続装置３と端末装置Ｅ１（ｉ＝１）の接続を完了する。
【００３８】
接続が完了すると、ステップＳ４に移行し、端末装置Ｅ１（ｉ＝１）から接続装置３に機能要求データを送信する。
続いて、ステップＳ５では、接続装置３が機能要求データが正常か否かを判定し、機能要求データが正常（Ｙ）の場合にはステップＳ６に移行する。
一方、機能要求データが異常（Ｎ）の場合にはステップＳ１に移行して端末装置Ｅ１（ｉ＝２）についてステップＳ１〜ステップＳ５を実行する。
【００３９】
続いて、ステップ６では、接続装置３から端末装置Ｅ１（ｉ＝１）に個別の機能設定データを送信し、端末装置Ｅ１（ｉ＝１）の機能を確定する。
端末装置Ｅｉ（ｉ＝２〜ｎ）についても、ステップＳ１〜ステップＳ６のフローを繰り返し、接続装置３と端末装置Ｅ１〜Ｅｎの接続、および端末装置Ｅ１〜Ｅｎの機能確定を完了する。
【００４０】
ステップＳ２またはステップＳ５の異常状態（Ｎ表示）の場合には、接続装置３に搭載した表示装置（可視表示、可聴表示）に、異常状態（Ｎ表示）に対応したエラー表示を行う。
また、図４の動作フローの開始は、例えば接続装置３の電源投入時のパワーオンリセットで行ったり、接続装置３に設けた設定スイッチの操作で行うように構成する。
なお、接続装置３と端末装置Ｕ１〜Ｕｋの接続、および端末装置Ｕ１〜Ｕｋの機能確定も図４の動作フローで同様に実行する。
【００４１】
【発明の効果】
以上説明したように、この発明に係る通信システムは、内線をデータバスで構成し、接続装置と各端末装置との間で個別認識番号（ＩＤ）データの相互通信を実行するので、個別認識番号（ＩＤ）データの一致で、各端末装置を接続装置に自動的に接続することができる。また、データバスを介して各端末装置の端末制御手段から供給される機能要求データに対応し、接続装置の主制御装置から機能設定データを各端末装置の端末制御手段に供給して機能設定を実行するので、各端末装置の個別の機能設定を自動的に行うことができる。
つまり、この発明に係る通信システムは、各端末装置と接続装置を自動的に接続することができるので、システムの設置や各端末装置の配置換えが容易にして各端末装置の誤接続を防止することができるので、システムの接続工事を正確、かつ効率良く実行することができる。
【００４２】
また、この発明に係る通信システムは、各端末装置の個別の機能設定を自動的に行うことができるので、機能設定の煩わしさや誤設定を解消して信頼性の高い機能設定を実現することができる。
【００４３】
よって、端末装置の接続および機能設定を高効率ならびに高信頼性で実現できる通信システムを提供することができる。
【図面の簡単な説明】
【図１】  この発明に係る通信システムの実施の形態全体ブロック構成図
【図２】  この発明に係る接続装置の主制御手段の実施の形態要部ブロック構成図
【図３】  この発明に係る端末装置の端末制御手段の実施の形態要部ブロック構成図
【図４】  図１に示す通信システムの接続ならびに機能設定の一実施の形態概要動作フロー図
【符号の説明】
１…通信システム、２…電話回線、３…接続装置、４，Ｘ，Ｙ…データバス、５，Ｅ１〜Ｅｎ，Ｕ１〜Ｕｋ…端末装置、１０…主制御手段、１１…設定データ記憶手段、１２…ＩＤ（個別認識番号）データ記憶手段、１３…機能データ記憶手段、１５…端末制御手段、１６…要求データ記憶手段、１７…ＩＤデータ記憶手段、１８…機能要求データ記憶手段、１９…機能確定手段
【図１】
0003883792.tif 000002
【図２】
0003883792.tif 000003
【図３】
0003883792.tif 000004
【図４】
0003883792.tif 000005